(57)【特許請求の範囲】
【請求項１】
発熱体を有する本体と、前記発熱体の温度を制御する制御回路と、前記制御回路を内装し前記本体の端部に設けた制御ケースと、前記制御回路を介して前記発熱体に給電する電源コードからなり、前記電源コードの導出部は前記制御ケースに設けられた凹形状部の底部に位置させるとともに、この底部から所定間隔をおいて位置する前記凹形状部の外部開放端側は角を丸くして、導出部から所定長さ導出された電源コードが角を丸くした凹形状部の外部開放端側に沿うようにし、さらに前記凹形状部の対向する両内壁は平行状態に、また、深さは電源コードの導出部に設けたコードブッシュがその凹形状部の内部に位置するようにそれぞれ設定した採暖具。
【請求項２】
制御ケースは、上部制御ケースと下部制御ケースにより構成され、前記下部制御ケースに電源コードを収納する溝部を設けた請求項１記載の採暖具。
【請求項３】
制御ケースは、上部制御ケースと下部制御ケースにより構成され、凹形状部の少なくとも上方開放部分を前記上部制御ケースで覆うようにした請求項１記載の採暖具。
【発明の詳細な説明】
【０００１】
【発明の属する技術分野】
本発明は、電気採暖具の制御ケースに関するものである。
【０００２】
【従来の技術】
従来の採暖具は、図５および図６に示すように、発熱体（図示せず）を内蔵した本体５１と、本体５１の端部に設けられ発熱体の温度を調節する制御回路５２を内装した制御ケース５３と、制御回路５２を介して発熱体に電源を供給する電源コード５４から構成されている。電源コード５４には導出部５５での屈曲性の向上および耐性を確保するため蛇腹構造のコードブッシュ５６が設けられている（例えば、特許文献１参照）。
【０００３】
【特許文献１】
特許第３０４４８２５号公報（第２頁、第２図）
【０００４】
【発明が解決しようとする課題】
しかしながら、前記従来の構成では、図５に示すように電源コード５４の導出部５５が制御ケース５３の所定位置に固定して設けられており、部屋の電源コード差込口５７の位置によっては本体を部屋の角に近接して設置できないという課題があった。
【０００５】
また、電源コード５４には蛇腹構造のコードブッシュ５６を取り付けているが、図６に示すように本体５１を配置する場合、電源コード５４が折り曲がり、導出部５５は屈曲などに対して弱いため負荷がかかり、電源の接触不良の原因になるという課題があった。
【０００６】
さらに、電源コード５４とコードブッシュ５６が制御ケース５３から飛び出し、見映えが悪いという課題もあった。
【０００７】
本発明は、前記従来の課題を解決するもので、安全でかつ見映えよく設置することができる採暖具の提供を目的とする。
【０００８】
【課題を解決するための手段】
前記従来の課題を解決するために本発明は、発熱体を有する本体と、前記発熱体の温度を制御する制御回路と、前記制御回路を内装し前記本体の端部に設けた制御ケースと、前記制御回路を介して前記発熱体に給電する電源コードからなり、前記電源コードの導出部は前記制御ケースに設けられた凹形状部の底部に位置させるとともに、この底部から所定間隔をおいて位置する前記凹形状部の外部開放端側は角を丸くして、導出部から所定長さ導出された電源コードが角を丸くした凹形状部の外部開放端側に沿うようにし、さらに前記凹形状部の対向する両内壁は平行状態に、また、深さは電源コードの導出部に設けたコードブッシュがその凹形状部の内部に位置するようにそれぞれ設定したものであり、電源コードの屈曲性が向上し、電源コードの導出部にかかる負荷を軽減することができる。さらに電源コードと導出部の制御ケースからのはみ出しが少なくなるので、安全でかつ本体を見映えよく部屋に設置することができる。
【０００９】
【発明の実施の形態】
本発明は、発熱体を有する本体と、前記発熱体の温度を制御する制御回路と、前記制御回路を内装し前記本体の端部に設けた制御ケースと、前記制御回路を介して前記発熱体に給電する電源コードからなり、前記電源コードの導出部は前記制御ケースに設けられた凹形状部の底部に位置させるとともに、この底部から所定間隔をおいて位置する前記凹形状部の外部開放端側は角を丸くして、導出部から所定長さ導出された電源コードが角を丸くした凹形状部の外部開放端側に沿うようにし、さらに前記凹形状部の対向する両内壁は平行状態に、また、深さは電源コードの導出部に設けたコードブッシュがその凹形状部の内部に位置するようにそれぞれ設定したものであり、電源コードの屈曲性が向上し、電源コードの導出部にかかる負荷を軽減することができる。
【００１０】
また、電源コードと導出部の制御ケースからのはみ出しが少なくなるので、安全でかつ本体を見映え良く部屋に設置することができる。
【００１１】
そして、前記制御ケースを上部制御ケースと下部制御ケースとにより構成し、前記下部制御ケースに電源コードを収納する溝部を設ければ、部屋の電源コード差込口の位置や方向に合わせて、電源コードを導くとともに、見映えよく電源コードを収納して本体を設置することができる。
【００１２】
さらに、制御ケースを上部制御ケースと下部制御ケースとにより構成し、凹形状部の少なくとも上方開放部分を前記上部制御ケースで覆うようにすれば、制御ケースの上下からの水やホコリ等の浸入を防ぐことができ、使用時の安全性および信頼性が向上する。
【００１３】
【実施例】
以下、本発明の実施例について図面を参照して説明する。
【００１４】
（実施例１）
図１は面状採暖具を示し、表面材１と発熱体２と軟質発泡樹脂材３と裏面材４からなる
本体５と、発熱体２の温度を制御する制御回路６と、本体５の端部に設けられ、制御回路６を内装した上部制御ケース７と下部制御ケース８からなる制御ケース９と、制御回路６を介して発熱体２に給電する電源コード１０から構成されている。
【００１５】
上記構成において、上記制御ケース９の一辺部には凹形状部１１が設けられ、さらに凹形状部１１の外部開放端側の角は丸くなるように構成されている。
【００１６】
また電源コード１０の導出部１２は、制御ケース９に設けた凹形状部１１に位置し、導出部１２にはコードブッシュ１４が取り付けてある。
【００１７】
また図３に示すように、下部制御ケース８には電源コード１０を収納するための溝部１３が設けられている。
【００１８】
凹形状部１１の外部開放端側の角を丸くすることにより、図２に示すように電源コード１０が制御ケース９の側面を沿うように曲がるため、鋭角に曲がることなく屈曲性が良くなり、屈曲することによって電源コード１０の導出部１２に加わる負荷が小さくなり、信頼性が向上する。
【００１９】
なお、凹形状部１１の外部開放端側の角は、導出部１２に屈曲力が集中しない形状であればなんでもよい。例えば、角が鈍角になっていてもよい。
【００２０】
また、電源コード１０の導出部１２を制御ケース９に設けた凹形状部１１に位置することにより、電源コード１０と導出部１２の制御ケース９からのはみ出しが少なくなり、見映えがよくなるとともに、設置空間を有効利用できる。
【００２１】
さらに、下部制御ケース８に溝部１３を設けることにより、図３に示すように電源コード１０をきれいにかつ安全に収納できて見映えが良く、部屋の電源コード差込口の位置に左右されることなく、電源コード１０を容易に導くことができ、部屋の角に近接して本体５を設置することが可能となる。
【００２２】
（実施例２）
上記実施例１によって従来の課題は解決されたが、その一方コードブッシュ５６が蛇腹構造になっているために蛇腹部分にホコリが付着しやすいという新たな課題も有していた。また、使用者が誤って制御ケース５３に水等をこぼした場合に導出部５５がむき出しになっているため、導出部５５から制御回路５２へ水が浸入し、ショートを起こす危険性もあった。
【００２３】
そこで、前記問題を解決する本発明の他の実施例を示す。図１と同一構成要件については、同一符号を符し、具体的な説明は実施例１のものを援用する。
【００２４】
図４に示すように、制御ケース９に設けた凹形状部１１の上下両開放部分を上部制御ケース７と下部制御ケース８によって覆うようにすることで、コードブッシュ５６へのホコリ等の汚れの付着を防ぐことができる。また、使用者が誤って制御ケース９の上に水等をこぼしても、導出部１２から制御回路６へ水が浸入してショートする危険性が少なくなり、本体５使用時の安全性および信頼性が向上する。
【００２５】
なお、上記実施例において、凹形状部１１は上下両開放部分を覆うようにしたが、場合によっては上方開放部分のみを上部制御ケース７で覆うようにすることも考えられる。この場合にも上記実施例と同等の効果を得ることができる。
【００２６】
【発明の効果】
以上のように、本発明によれば、安全性が高く、見映えよく設置することができる採暖具を提供することができる。
【図面の簡単な説明】
【図１】  本発明の実施例における採暖具の部分平面図
【図２】  本発明の実施例における採暖具の制御ケースの拡大図
【図３】  本発明の実施例における採暖具の制御ケースの裏面平面図
【図４】  本発明の他の実施例における採暖具の制御ケースの断面図
【図５】  従来の採暖具の部分平面斜視図
【図６】  従来の採暖具の制御ケースの拡大図
【符号の説明】
２  発熱体
５  本体
６  制御回路
７  上部制御ケース
８  下部制御ケース
９  制御ケース
１０  電源コード
１１  凹形状部
１２  導出部
１３  溝部
【図１】
0004093028.tif 000002
【図２】
0004093028.tif 000003
【図３】
0004093028.tif 000004
【図４】
0004093028.tif 000005
【図５】
0004093028.tif 000006
【図６】
0004093028.tif 000007